(57)【要約】【課題】複数の装置のそれぞれが有する画像データに対する編集の結果を、複数の装置で共有する。【解決手段】撮影装置１２−１と撮影装置１２−２は、編集装置１１に編集させようとする画像データ、並びに、その画像データの編集を指示する重要画像マークと編集関連情報を、編集装置１１に送信する。編集装置１１は、撮影装置１２−１と撮影装置１２−２から送信されてくる画像データを、重要画像マークと編集関連情報に応じて編集し、その結果得られる編集データを撮影装置１２−１と撮影装置１２−２のそれぞれに送信する。本発明は、例えば、複数のデジタルカメラがネットワークで接続されたシステムに適用することができる。【選択図】図１
2007158563.tif 000002
【特許請求の範囲】
【請求項１】
画像データを取り扱う複数の電子機器と、前記画像データを編集する画像編集装置とから構成される画像編集システムにおいて、
前記電子機器は、
記録媒体に記録されている前記画像データから、前記画像編集装置に編集させようとする前記画像データを選択する選択手段と、
選択された前記画像データと選択されたその前記画像データの編集を指示する指示データとを前記画像編集装置に送信する第１の送信手段と、
前記画像編集装置から送信されてくる、前記指示データの指示に応じて前記画像データが編集された結果得られた編集データを受信する第１の受信手段と
を備え、
前記画像編集装置は、
複数の前記電子機器のそれぞれから送信されてくる前記画像データおよび前記指示データを受信する第２の受信手段と、
一連の画像または所定の関係に関係付けられた画像を表示させる前記編集データを生成するように、複数の前記電子機器からの前記画像データをその前記画像データの前記指示データの指示に応じて編集する編集手段と、
前記編集データを複数の前記電子機器のそれぞれに送信する第２の送信手段と
を備える画像編集システム。
【請求項２】
画像データを取り扱う電子機器において、
記録媒体に記録されている前記画像データから、編集させようとする前記画像データを選択する選択手段と、
選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信する送信手段と、
前記画像編集装置から送信されてくる前記編集データを受信する受信手段と
を備える電子機器。
【請求項３】
前記送信手段は、前記選択手段により前記画像データが選択された場合、選択されたその前記画像データの編集を指示する前記指示データと、選択された前記画像データに代えて、その前記画像データに対応する、その前記画像データに比べてデータ量の少ない画像データである少データ量データを、前記画像編集装置に送信し、
前記受信手段は、前記画像編集装置から送信されてくる、前記少データ量データに対応する画像データのうち編集対象とする画像データを指定するデータである指定データを受信し、
前記送信手段は、前記指定データで指定される画像データを送信し、
前記受信手段は、前記画像編集装置から送信されてくる前記編集データを受信する
請求項２に記載の電子機器。
【請求項４】
画像データを取り扱う電子機器の画像送信方法において、
記録媒体に記録されている前記画像データから、編集させようとする前記画像データを選択し、
選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信し、
前記画像編集装置から送信されてくる前記編集データを受信する
ステップを含む画像送信方法。
【請求項５】
画像データを取り扱う電子機器を制御するコンピュータに行わせるプログラムにおいて、
記録媒体に記録されている前記画像データから、編集させようとする前記画像データを選択し、
選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信し、
前記画像編集装置から送信されてくる前記編集データを受信する
ステップを含むプログラム。
【請求項６】
複数の電子機器のそれぞれから送信されてくる画像データとその前記画像データの編集を指示する指示データとを受信する受信手段と、
一連の画像または所定の関係に関係付けられた画像を表示させる編集データを生成するように、複数の前記電子機器からの前記画像データをその前記画像データの前記指示データの指示に応じて編集する編集手段と、
前記編集データを複数の前記電子機器のそれぞれに送信する送信手段と
を備える画像編集装置。
【請求項７】
前記編集手段において編集の対象とする画像データを選択する選択手段
をさらに備え、
前記受信手段は、複数の前記電子機器から、前記画像データに対応する、その前記画像データに比べてデータ量の少ない画像データである少データ量データと、その前記画像データの編集を指示する前記指示データとを受信し、
前記選択手段は、前記受信手段により受信される少データ量データと指示データに基づいて、前記少データ量データに対応する画像データのうち、前記編集の対象とする画像データを選択し、
前記送信手段は、前記選択手段により選択される画像データを指定するデータである指定データを、複数の前記電子機器に送信し、
前記受信手段は、複数の前記電子機器から送信されてくる前記指定データで指定される画像データを受信する
請求項６に記載の画像編集装置。
【請求項８】
複数の電子機器のそれぞれから送信されてくる画像データとその前記画像データの編集を指示する指示データとを受信し、
一連の画像または所定の関係に関係付けられた画像を表示させる編集データを生成するように、複数の前記電子機器からの前記画像データをその前記画像データの前記指示データの指示に応じて編集し、
前記編集データを複数の前記電子機器のそれぞれに送信する
ステップを含む画像編集方法。
【請求項９】
複数の電子機器のそれぞれから送信されてくる画像データとその前記画像データの編集を指示する指示データとを受信し、
一連の画像または所定の関係に関係付けられた画像を表示させる編集データを生成するように、複数の前記電子機器からの前記画像データをその前記画像データの前記指示データの指示に応じて編集し、
前記編集データを複数の前記電子機器のそれぞれに送信する
ステップを含む処理をコンピュータに実行させるプログラム。
【請求項１０】
請求項５または請求項９に記載のプログラムが記録されているプログラム記録媒体。
【発明の詳細な説明】
【技術分野】
【０００１】
本発明は、画像編集システム、電子機器および画像送信方法、画像編集装置および画像編集方法、プログラム、並びにプログラム記録媒体に関し、特に、複数の装置のそれぞれが有する画像データに対する編集の結果を、複数の装置で共有することができるようにした画像編集システム、電子機器および画像送信方法、画像編集装置および画像編集方法、プログラム、並びにプログラム記録媒体に関する。
【背景技術】
【０００２】
近年、デジタルスチルカメラやカムコーダ(登録商標)などの撮影装置が普及しており、結婚式やパーティ、旅行などにおいては、そこに集まった仲間(友人達)のそれぞれが、自分の所持する撮影装置で撮影を行い、その結果得られる静止画像や動画像の画像データを記録させる。その後、各自が撮影装置を家などに持ち帰り、自分が撮影した結果得られた画像データに対してパーソナルコンピュータなどで自動編集などを行わせる。この自動編集の方法としては、例えば、動画像の画像データから、所定の基準を満たす部分を抽出し、その抽出された部分を結合して編集を行う方法がある（例えば、特許文献１参照）。
【０００３】
そして、仲間のそれぞれは、編集後の画像データを、電子メールを用いて送付したり、WEBページを用いて公開することにより、自分以外の仲間に提供する。
【０００４】
このように、仲間は同じ場所に集まっているのにもかかわらず、家などに持ち帰ってから、自分が撮影した結果得られた画像データを自分以外の仲間に提供しなければならず、仲間のそれぞれが、共通の画像データを持ち帰ることはできなかった。
【０００５】
そこで、仲間が集まって撮影を行う場所で、IEEE(Institute of Electrical and Electronics Engineers)802.11a，IEEE802.11b，IEEE802.11gなどに準拠した無線LAN（Local Area Network)やBluetoothなどを用いて、各自が撮影した結果得られた画像データをやり取りすることが考えられている。
【０００６】
【特許文献１】特開２００２−１７６６１３号公報
【発明の開示】
【発明が解決しようとする課題】
【０００７】
しかしながら、自分が所持する撮影装置が、自分以外の仲間のそれぞれが所持する撮影装置から、撮影の結果得られた画像データを受信して記録する場合、記録される画像データのデータ量が莫大となり管理が大変である。また、他人が所持する撮影装置で撮影された結果得られた画像データが、そのまま記録されるだけでは、記録される画像に面白みがない。
【０００８】
本発明は、このような状況に鑑みてなされたものであり、複数の装置のそれぞれが有する画像データに対する編集の結果を、複数の装置で共有することができるようにするものである。
【課題を解決するための手段】
【０００９】
本発明の第１の側面の画像編集システムは、画像データを取り扱う複数の電子機器と、前記画像データを編集する画像編集装置とから構成される画像編集システムにおいて、前記電子機器は、記録媒体に記録されている前記画像データから、前記画像編集装置に編集させようとする前記画像データを選択する選択手段と、選択された前記画像データと選択されたその前記画像データの編集を指示する指示データとを前記画像編集装置に送信する第１の送信手段と、前記画像編集装置から送信されてくる、前記指示データの指示に応じて前記画像データが編集された結果得られた編集データを受信する第１の受信手段とを備え、前記画像編集装置は、複数の前記電子機器のそれぞれから送信されてくる前記画像データおよび前記指示データを受信する第２の受信手段と、一連の画像または所定の関係に関係付けられた画像を表示させる前記編集データを生成するように、複数の前記電子機器からの前記画像データをその前記画像データの前記指示データの指示に応じて編集する編集手段と、前記編集データを複数の前記電子機器のそれぞれに送信する第２の送信手段とを備える。
【００１０】
本発明の第２の側面の電子機器は、画像データを取り扱う電子機器において、記録媒体に記録されている前記画像データから、編集させようとする前記画像データを選択する選択手段と、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信する送信手段と、前記画像編集装置から送信されてくる前記編集データを受信する受信手段とを備える。
【００１１】
前記送信手段は、前記選択手段により前記画像データが選択された場合、選択されたその前記画像データの編集を指示する前記指示データと、選択された前記画像データに代えて、その前記画像データに対応する、その前記画像データに比べてデータ量の少ない画像データである少データ量データを、前記画像編集装置に送信し、前記受信手段は、前記画像編集装置から送信されてくる、前記少データ量データに対応する画像データのうち編集対象とする画像データを指定するデータである指定データを受信し、前記送信手段は、前記指定データで指定される画像データを送信し、前記受信手段は、前記画像編集装置から送信されてくる前記編集データを受信することができる。
【００１２】
本発明の第２の側面の画像送信方法は、画像データを取り扱う電子機器の画像送信方法において、記録媒体に記録されている前記画像データから、編集させようとする前記画像データを選択し、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信し、前記画像編集装置から送信されてくる前記編集データを受信するステップを含む。
【００１３】
本発明の第２の側面のプログラムおよび第２の側面のプログラム記録媒体に記録されるプログラムは、画像データを取り扱う電子機器を制御するコンピュータに行わせるプログラムにおいて、記録媒体に記録されている前記画像データから、編集させようとする前記画像データを選択し、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信し、前記画像編集装置から送信されてくる前記編集データを受信するステップを含む。
【００１４】
本発明の第３の側面の画像編集装置は、複数の電子機器のそれぞれから送信されてくる画像データとその前記画像データの編集を指示する指示データとを受信する受信手段と、一連の画像または所定の関係に関係付けられた画像を表示させる編集データを生成するように、複数の前記電子機器からの前記画像データをその前記画像データの前記指示データの指示に応じて編集する編集手段と、前記編集データを複数の前記電子機器のそれぞれに送信する送信手段とを備える。
【００１５】
前記画像編集装置は、前記編集手段において編集の対象とする画像データを選択する選択手段をさらに設け、前記受信手段は、複数の前記電子機器から、前記画像データに対応する、その前記画像データに比べてデータ量の少ない画像データである少データ量データと、その前記画像データの編集を指示する前記指示データとを受信し、前記選択手段は、前記受信手段により受信される少データ量データと指示データに基づいて、前記少データ量データに対応する画像データのうち、前記編集の対象とする画像データを選択し、前記送信手段は、前記選択手段により選択される画像データを指定するデータである指定データを、複数の前記電子機器に送信し、前記受信手段は、複数の前記電子機器から送信されてくる前記指定データで指定される画像データを受信することができる。
【００１６】
本発明の第３の側面の画像編集方法は、複数の電子機器のそれぞれから送信されてくる画像データとその前記画像データの編集を指示する指示データとを受信し、一連の画像または所定の関係に関係付けられた画像を表示させる編集データを生成するように、複数の前記電子機器からの前記画像データをその前記画像データの前記指示データの指示に応じて編集し、前記編集データを複数の前記電子機器のそれぞれに送信するステップを含む。
【００１７】
本発明の第３の側面のプログラムおよび第３の側面のプログラム記録媒体に記録されるプログラムは、複数の電子機器のそれぞれから送信されてくる画像データとその前記画像データの編集を指示する指示データとを受信し、一連の画像または所定の関係に関係付けられた画像を表示させる編集データを生成するように、複数の前記電子機器からの前記画像データをその前記画像データの前記指示データの指示に応じて編集し、前記編集データを複数の前記電子機器のそれぞれに送信するステップを含む処理をコンピュータに実行させる。
【００１８】
本発明の第１の側面の画像編集システムにおいては、記録媒体に記録されている画像データから、編集させようとする前記画像データが選択され、選択された前記画像データと選択されたその前記画像データの編集を指示する指示データとが送信され、前記画像データおよび前記指示データが受信される。そして、一連の画像または所定の関係に関係付けられた画像を表示させる前記編集データを生成するように、複数の前記電子機器からの前記画像データがその前記画像データの前記指示データの指示に応じて編集され、前記編集データが送信され、受信される。
【００１９】
本発明の第２の側面の電子機器および前記電子機器の画像送信方法、前記電子機器を制御するコンピュータに行わせるプログラム、並びに前記プログラムが記録されているプログラム記録媒体においては、記録媒体に記録されている画像データから、編集させようとする前記画像データが選択され、選択された前記画像データと選択されたその前記画像データの編集を指示する前記指示データとが、一連の画像または所定の関係に関係付けられた画像を表示させる編集データを生成するように、当該電子機器および他の電子機器からの前記画像データがその前記画像データの前記指示データの指示に応じて編集する画像編集装置に送信され、前記画像編集装置から送信されてくる前記編集データが受信される。
【００２０】
本発明の第３の側面の画像編集装置および画像編集方法、プログラム、並びにプログラム記録媒体においては、複数の電子機器のそれぞれから送信されてくる画像データとその前記画像データの編集を指示する指示データとが受信され、一連の画像または所定の関係に関係付けられた画像を表示させる編集データを生成するように、複数の前記電子機器からの前記画像データがその前記画像データの前記指示データの指示に応じて編集され、前記編集データが複数の前記電子機器のそれぞれに送信される。
【発明の効果】
【００２１】
以上のように、本発明の第１の側面によれば、複数の電子機器から送信されてくる画像データを受信することができる。また、本発明の第１の側面によれば、複数の装置のそれぞれが有する画像データに対する編集の結果を、複数の装置で共有することができる。
【００２２】
本発明の第２の側面によれば、画像データを送信することができる。また、本発明の第２の側面によれば、自分自身と他の装置のそれぞれが有する画像データに対する編集の結果を、他の装置と共有することができる。
【００２３】
本発明の第３の側面によれば、画像データを受信することができる。また、本発明の第３の側面によれば、複数の装置のそれぞれが有する画像データに対する編集の結果を、複数の装置で共有することができる。
【発明を実施するための最良の形態】
【００２４】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の第１の側面の画像編集システムは、画像データを取り扱う複数の電子機器(例えば、図１の撮影装置１２−１と撮影装置１２−２)と、前記画像データを編集する画像編集装置(例えば、図１の編集装置１１)とから構成される画像編集システム（例えば、図１のネットワークシステム１）において、前記電子機器は、記録媒体(例えば、図５の記録部７２)に記録されている前記画像データから、前記画像編集装置に編集させようとする前記画像データを選択する選択手段(例えば、図５の選択部９２)と、選択された前記画像データと選択されたその前記画像データの編集を指示する指示データ(例えば、重要画像マークと編集関連情報)とを前記画像編集装置に送信する第１の送信手段(例えば、図５の送信制御部９４)と、前記画像編集装置から送信されてくる、前記指示データの指示に応じて前記画像データが編集された結果得られた編集データを受信する第１の受信手段(例えば、図５の受信制御部９５)とを備え、前記画像編集装置は、複数の前記電子機器のそれぞれから送信されてくる前記画像データおよび前記指示データを受信する第２の受信手段(例えば、図４の受信制御部５８)と、一連の画像または所定の関係に関係付けられた画像を表示させる前記編集データを生成するように、複数の前記電子機器からの前記画像データをその前記画像データの前記指示データの指示に応じて編集する編集手段(例えば、図４の抽出部５４と接続部５５)と、前記編集データを複数の前記電子機器のそれぞれに送信する第２の送信手段(例えば、図４の送信制御部５６)とを備える。
【００２６】
本発明の第２の側面の電子機器は、画像データを取り扱う電子機器(例えば、図１の撮影装置１２−１、撮影装置１２−２)において、記録媒体(例えば、図５の記録部７２)に記録されている前記画像データから、編集させようとする前記画像データを選択する選択手段（例えば、図５の選択部９２）と、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置に送信する送信手段（例えば、図５の送信制御部９４）と、前記画像編集装置から送信されてくる前記編集データを受信する受信手段(例えば、図５の受信制御部９５)とを備える。
【００２７】
本発明の第２の側面の電子機器は、前記送信手段は、前記選択手段により前記画像データが選択された場合、選択されたその前記画像データの編集を指示する前記指示データと、選択された前記画像データに代えて、その前記画像データに対応する、その前記画像データに比べてデータ量の少ない画像データである少データ量データを、前記画像編集装置に送信し(例えば、図１８のステップＳ１７９の処理)、前記受信手段は、前記画像編集装置から送信されてくる、前記少データ量データに対応する画像データのうち編集対象とする画像データを指定するデータである指定データを受信し(例えば、図１８のステップＳ１８１の処理)、前記送信手段は、前記指定データで指定される画像データを送信し(例えば、図１８のステップＳ１８３の処理)、
前記受信手段は、前記画像編集装置から送信されてくる前記編集データを受信する(例えば、図１８のステップＳ１８５の処理)。
【００２８】
本発明の第２の側面の画像送信方法は、画像データを取り扱う電子機器(例えば、図１の撮影装置１２−１と撮影装置１２−２)の画像送信方法において、記録媒体(例えば、図５の記録部７２)に記録されている前記画像データから、編集させようとする前記画像データを選択し（例えば、図１２のステップＳ７４）、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置（例えば、図１の編集装置１１）に送信し(例えば、図１２のステップＳ７８)、前記画像編集装置から送信されてくる前記編集データを受信する(例えば、図１２のステップＳ８０)ステップを含む。
【００２９】
本発明の第２の側面のプログラムおよび第２の側面のプログラム記録媒体に記録されているプログラムは、画像データを取り扱う電子機器を制御するコンピュータに行わせるプログラムにおいて、記録媒体に記録されている前記画像データから、編集させようとする前記画像データを選択し(例えば、図１２のステップＳ７４)、選択された前記画像データと選択されたその前記画像データの編集を指示する前記指示データとを、一連の画像または所定の関係に関係付けられた画像を表示させる編集データを生成するように、当該電子機器および他の電子機器からの前記画像データをその前記画像データの前記指示データの指示に応じて編集する画像編集装置（例えば、図１の編集装置１１）に送信し(例えば、図１２のステップＳ７８)、前記画像編集装置から送信されてくる前記編集データを受信する(例えば、図１２のステップＳ８０)ステップを含む。
【００３０】
本発明の第３の側面の画像編集装置は、複数の電子機器（例えば、図１の撮影装置１２−と撮影装置１２−２）のそれぞれから送信されてくる画像データとその前記画像データの編集を指示する指示データ（例えば、重要画像マークと編集関連情報）とを受信する受信手段（例えば、図４の受信制御部５８）と、一連の画像または所定の関係に関係付けられた画像を表示させる編集データを生成するように、複数の前記電子機器からの前記画像データをその前記画像データの前記指示データの指示に応じて編集する編集手段(例えば、図４の抽出部５４と接続部５５)と、前記編集データを複数の前記電子機器のそれぞれに送信する送信手段（例えば、図４の送信制御部５６）とを備える。
【００３１】
前記編集手段において編集の対象とする画像データを選択する選択手段（例えば、図４の抽出部５４）をさらに備え、前記受信手段は、複数の前記電子機器から、前記画像データに対応する、その前記画像データに比べてデータ量の少ない画像データである少データ量データと、その前記画像データの編集を指示する前記指示データとを受信し(例えば、図１５のステップＳ１０９の処理)、前記選択手段は、前記受信手段により受信される少データ量データと指示データに基づいて、前記少データ量データに対応する画像データのうち、前記編集の対象とする画像データを選択し(例えば、図１６のステップＳ１３３の処理)、前記送信手段は、前記選択手段により選択される画像データを指定するデータである指定データを、複数の前記電子機器に送信し(例えば、図１６のステップＳ１３５の処理)、前記受信手段は、複数の前記電子機器から送信されてくる前記指定データで指定される画像データを受信する（例えば、図１６のステップＳ１３６の処理）。
【００３２】
本発明の第３の側面の画像編集方法は、複数の電子機器(例えば、図１の撮影装置１２−１と撮影装置１２−２)のそれぞれから送信されてくる画像データとその前記画像データの編集を指示する指示データ（例えば、重要画像マークと編集関連情報）とを受信し(例えば、図９のステップＳ９)、一連の画像または所定の関係に関係付けられた画像を表示させる編集データを生成するように、複数の前記電子機器からの前記画像データをその前記画像データの前記指示データの指示に応じて編集し（例えば、図９のステップＳ１４またはステップＳ１５）、前記編集データを複数の前記電子機器のそれぞれに送信する（例えば、図９のステップＳ１６）ステップを含む。
【００３３】
本発明の第３の側面のプログラムおよび第３の側面のプログラム記録媒体に記録されているプログラムは、複数の電子機器（例えば、図１の撮影装置１２−１と撮影装置１２−２）のそれぞれから送信されてくる画像データとその前記画像データの編集を指示する指示データ（例えば、重要画像マークと編集関連情報）とを受信し、一連の画像または所定の関係に関係付けられた画像を表示させる編集データを生成するように、複数の前記電子機器からの前記画像データをその前記画像データの前記指示データの指示に応じて編集し（例えば、図９のステップＳ１４またはステップＳ１５）、前記編集データを複数の前記電子機器のそれぞれに送信する(例えば、図９のステップＳ１６)ステップを含む処理をコンピュータに実行させる。
【００３４】
図１は、本発明に係るネットワークシステム１の一実施の形態の外観構成例を示す図である。
【００３５】
図１のネットワークシステム１は、編集装置１１、撮影装置１２−１、撮影装置１２−２、およびネットワーク１３から構成され、ネットワークシステム１では、編集装置１１、撮影装置１２−１、および撮影装置１２−２により撮影された結果得られる静止画像または動画像の画像データに対する編集の結果が、編集装置１１、撮影装置１２−１、および撮影装置１２−２に記録される。
【００３６】
図１の編集装置１１、撮影装置１２−１、および撮影装置１２−２は、有線または無線のLAN(Local Area Network)などのネットワーク１３を介して相互に接続されている。
【００３７】
編集装置１１は、例えばデジタルスチルカメラ、カムコーダなどであり、被写体を撮影し、その結果得られる動画像または静止画像の画像データを記録する。また、編集装置１１は、自分自身が記録する画像データ、並びに撮影装置１２−１と撮影装置１２−２からネットワーク１３を介して送信されてくる画像データに対する編集を行い、その結果生成される一連の画像または所定の関係に関係付けられた画像（以下、編集画像と称する）の画像データを編集データとして記録する。なお、編集画像は、静止画像であっても、動画像であってもよい。
【００３８】
また、編集装置１１は、ネットワーク１３を介して、編集データを撮影装置１２−１と撮影装置１２−２に送信する。
【００３９】
撮影装置１２−１と撮影装置１２−２は、例えば、デジタルスチルカメラ、カムコーダなどであり、被写体を撮影し、その結果得られる動画像または静止画像の画像データを取り扱う。具体的には、撮影装置１２−１と撮影装置１２−２は、撮影の結果得られる画像データを記録する。また、撮影装置１２−１と撮影装置１２−２は、自分自身（当該撮影装置１２−１と撮影装置１２−２）が記録している画像データを、ネットワーク１３を介して編集装置１１に送信する。さらに、撮影装置１２−１と撮影装置１２−２は、編集装置１１からネットワーク１３を介して送信されてくる編集データを記録する。
【００４０】
次に、図２と図３を参照して、図１のネットワークシステム１における動作について説明する。
【００４１】
まず最初に、図２に示すように、ネットワークシステム１では、撮影装置１２−１と撮影装置１２−２が、自分自身が記録している画像データを、ネットワーク１３を介して編集装置１１に送信する。編集装置１１は、自分自身が記録している画像データと、撮影装置１２−１と撮影装置１２−２から送信されてくる画像データに対して編集を行い、その結果編集データを生成する。
【００４２】
次に、図３に示すように、ネットワークシステム１では、編集装置１１が、編集の結果生成された編集データを記録するとともに、ネットワーク１３を介して撮影装置１２−１と撮影装置１２−２に送信する。撮影装置１２−１と撮影装置１２−２のそれぞれは、編集装置１１から送信されてくる同一の編集データを受信し、記録する。
【００４３】
これにより、編集装置１１、撮影装置１２−１、および撮影装置１２−２は、それぞれが記録している画像データに対する編集の結果生成される編集データを、撮影時の思い出として共有することができる。その結果、ユーザの視聴の楽しみが広がる。
【００４４】
なお、以下では、撮影装置１２−１と撮影装置１２−２を区別する必要がない場合、それらをまとめて撮影装置１２と称する。
【００４５】
図４は、図１の編集装置１１の構成例を示すブロック図である。
【００４６】
図４の編集装置１１は、カメラ部３１、記録部３２、ユーザ入力部３３、液晶モニタ３４、制御部３５、およびネットワークI/F３６から構成される。
【００４７】
カメラ部３１は、CCD（Charge Coupled Device）またはCMOS（Complementary Metal-Oxide Semiconductor）センサなどの画像を電気信号に変換する光電変換素子および光電変換素子に被写体の画像を結像させる光学系などからなり、被写体の画像を電気信号である画像信号に変換する。即ち、カメラ１１は、被写体を撮影する。また、カメラ部３１は、撮影時の周囲の音声も取得する。
【００４８】
そして、カメラ部３１は、撮影（音声の取得も含む）の結果得られる画像信号と音声信号を、制御部３５の記録再生処理部５０（後述する）に供給する。なお、この画像信号には、例えば制御部３５の時間管理部５７(後述する)から供給される現在の時刻を表す時刻データに基づいて、撮影日時が撮影に関する情報として付加される。
【００４９】
記録部３２は、ハードディスク、所定のドライブに駆動されるDVD（Digital Versatile Disk）などの光ディスク、またはメモリカードなどの半導体メモリなどからなる。記録部３２は、制御部３５の記録再生処理部５０から供給される、静止画像を表示させるための画像データ(以下、静止画像データと称する)と、動画像(音声付き動画像)を表示させるための画像データ（以下、動画像データと称する）をファイルとして、フォルダ単位で記録する。
【００５０】
なお、以下では、静止画像データと動画像データを区別する必要がない場合、それらをまとめて画像データと称する。
【００５１】
ユーザ入力部３３は、例えば各種の操作ボタンなど(例えば、編集の開始を指令する自動編集スタートボタンなど)から構成され、ユーザからの操作を受け付け、その操作に対応する操作信号を制御部３５の選択部５２、付加部５３、または抽出部５４(後述する)に供給する。液晶モニタ３４は、制御部３５のモニタ制御部５１（後述する）から供給される、動画像または静止画像を表示させるための表示データに基づいて、動画像または静止画像を表示する。
【００５２】
制御部３５は、記録再生処理部５０、モニタ制御部５１、選択部５２、付加部５３、抽出部５４、接続部５５、送信制御部５６、時間管理部５７、および受信制御部５８から構成される。
【００５３】
記録再生処理部５０は、カメラ部３１から供給される画像信号のうちの１枚の静止画像に対応する画像信号に、例えば、JPEG（Joint Photographic Experts Group）方式の符号化などの静止画像を圧縮符号化する処理を適用して、画像信号から静止画像データを生成し、記録部３２に供給する。
【００５４】
なお、生成される静止画像データの方式は、JPEG方式に限るものではなく、JPEG2000方式など他の方式であってもよい。
【００５５】
また、記録再生処理部５０は、カメラ部３１から供給される画像信号と音声信号に、例えば、MPEG（Moving Pictures Experts Group）方式の符号化などの動画像を圧縮符号化する処理を適用して、画像信号と音声信号から動画像データを生成し、記録部３２に供給する。
【００５６】
なお、生成される動画像データの方式は、MPEG1、MPEG2、MPEG4、またはMPEG7などのMPEG方式に限るものではなく、H.264（ISO/IEC 14496-10 MPEG-4 Part10 Advanced Video Coding/ITU-T Rec. H.264）やH.263(ITU)などの他の方式であってもよい。
【００５７】
さらに、記録再生処理部５０は、接続部５５から供給される編集データを記録部３２に供給して記録させる。また、記録再生処理部５０は、記録部３２から画像データまたは編集データを読み出し、その画像データまたは編集データを復号する。記録再生処理部５０は、復号の結果得られる画像信号を、モニタ制御部５１に供給する。
【００５８】
モニタ制御部５１は、記録再生処理部５０から供給される画像信号を基に、動画像または静止画像を表示するための表示データを生成し、液晶モニタ３４に供給する。
【００５９】
選択部５２は、ユーザ入力部３３から供給される、編集対象の候補を指定するための操作に対応する操作信号に基づいて、記録部３２に記録されている画像データから、ユーザにより編集対象の候補として(編集させようとして)指定されたファイルの画像データまたはフォルダに設けられたファイルの画像データを選択し、その画像データを記録再生処理部５０を介して記録部３２から読み出す。そして、選択部５２は、その読み出された画像データを付加部５３に供給する。
【００６０】
付加部５３は、ユーザ入力部３３から供給される、編集対象の候補の画像データのうち、必ず編集に用いたい画像（以下、重要画像と称する）の画像データを指定するための操作に対応する操作信号、並びに選択部５２から供給される画像データに基づいて、重要画像の画像データに、重要画像を表すマークである重要画像マークを付加する。即ち、重要画像マークは、それが付加された画像データを用いて編集を行うように、編集を指示するデータである。付加部５３は、編集対象の候補の画像データを抽出部５４に供給する。
【００６１】
抽出部５４は、図示せぬ保持部を有し、付加部５３と受信制御部５８から供給される画像データを一時的に保持する。抽出部５４は、保持されている画像データに付加された撮影日時に基づいて、画像データを撮影順（時系列）に並び替える。また、抽出部５４は、画像データに付加された撮影日時、画像データ、またはユーザ入力部３３から供給される、編集データに関する情報（以下、編集関連情報と称する）を入力するための操作に対応する操作信号に基づいて、その画像データに対して優先順位を決定する。
【００６２】
なお、編集関連情報は、例えば、編集画像の解像度（画面サイズ）、編集データ内の動画像データの長さ（再生時間）（例えば、１分、５分、３０分など)、編集モード（例えば、編集画像を静止画像として生成する静止画像モード、編集画像を動画像として生成する動画像モード、撮影日時の所定の時間ごとにランダムに１枚の静止画像の静止画像データを優先的に編集対象として選択するランダムモード、人間の顔の画像の領域が大きい画像の画像データを優先的に編集対象として選択する顔メインモード、編集画像をセピア調の色に変換するセピアモードなど）などの情報である。また、この編集関連情報は、編集において参照される情報であり、編集を指示する情報であるといえる。
【００６３】
例えば、抽出部５４は、撮影日時と編集モードに基づいて、撮影日時の所定の時間ごとに１枚の静止画像の静止画像データを抽出し、その静止画像データの優先順位を高くしたり、静止画像データのエッジを検出し、そのエッジに基づいてボケのない静止画像データの優先順位を高くする。また、動画像データに基づいて、動画像とともに取得された音声（信号）のレベルを判別し、大きい音声とともに取得された動画像の動画像データの優先順位を高くする。さらに、抽出部５４は、画像データと編集モードに基づいて、画像データに対応する画像における人間の顔の画像の領域を検出し、その領域が大きいものほど優先順位を高くする。
【００６４】
抽出部５４は、優先順位、画像データに付加された重要画像マーク、ユーザ入力部３３から供給される編集関連情報を入力するための操作に対応する操作信号、および受信制御部５８から供給される編集関連情報に基づいて、編集対象とする画像データを決定し、図示せぬ保持部から抽出する。
【００６５】
また、抽出部５４は、抽出された画像データを、接続部５５に供給する。接続部５５は、抽出部５４から供給される編集対象とする画像データを繋ぎ合わせる（接続する）か、または所定の関係に関係付ける。このように、抽出部５４が編集対象とする画像データを抽出し、接続部５５が編集対象を接続するか、または所定の関係に関係付けることにより、画像データの編集が行われる。接続部５５は、その編集の結果生成される編集データを、記録再生処理部５０を介して記録部３２に記録させるとともに、送信制御部５６に供給する。
【００６６】
送信制御部５６は、接続部５５から供給される編集データを、ネットワークI/F３６に供給する。また、送信制御部５６は、時間管理部５７から供給される、現在の時刻を表す時刻データを、ネットワークI/F３６に供給する。時間管理部５７は、例えば電波やGPS(Global Positioning System)などを用いて、現在の時刻を表す時刻情報を受信し、その時刻情報に基づいて現在の時刻を計時する。そして、時間管理部５７は、計時される時刻を表すデータである時刻データを、カメラ部３１と送信制御部５６に供給する。受信制御部５８は、ネットワークI/F３６から供給される、後述する図５の撮影装置１２（のネットワークI/F７６）から送信されてきた画像データと編集関連情報を、抽出部５４に供給する。
【００６７】
ネットワークI/F３６は、送信制御部５６から供給される編集データと時刻データを、ネットワーク１３を介して、図５の撮影装置１２に送信する。また、ネットワークI/F３６は、図５の撮影装置１２から送信されてくる画像データと編集関連情報を受信し、受信制御部５８に供給する。
【００６８】
図５は、撮影装置１２の構成例を示すブロック図である。
【００６９】
図５の撮影装置１２は、カメラ部７１、記録部７２、ユーザ入力部７３、液晶モニタ７４、制御部７５、およびネットワークI/F７６から構成される。
【００７０】
なお、図５のカメラ部７１、記録部７２、および液晶モニタ７４は、図４のカメラ部３１、記録部３２、および液晶モニタ３４と同様に構成されるので、説明は省略する。
【００７１】
ユーザ入力部７３は、例えば各種の操作ボタンなど(例えば、編集の開始を指令する自動編集スタートボタンなど)から構成され、ユーザからの操作を受け付け、その操作に対応する操作信号を制御部７５の選択部９２、付加部９３、または送信制御部９４(後述する)に供給する。
【００７２】
制御部７５は、記録再生処理部９０、モニタ制御部９１、選択部９２、付加部９３、送信制御部９４、受信制御部９５、および時間管理部９６から構成される。
【００７３】
なお、記録再生処理部９０、モニタ制御部９１、および選択部９２は、図４の記録再生処理部５０、モニタ制御部５１、および選択部５２と同様に構成されるので、説明は省略する。
【００７４】
記録再生処理部９０は、図４の記録再生処理部５０と同様に、カメラ部７１から供給される画像信号のうちの１枚の静止画像に対応する画像信号から、静止画像データを生成するとともに、カメラ部７１から供給される画像信号と音声信号から動画像データを生成する。そして、記録再生処理部９０は、静止画像データと動画像データを記録部７２に供給する。また、記録再生処理部９０は、受信制御部９５から供給される編集データを記録部７２に供給して記録させる。
【００７５】
また、記録再生処理部９０は、記録再生処理部５０と同様に、記録部７２から画像データまたは編集データを読み出し、その画像データまたは編集データを復号する。記録再生処理部９０は、復号の結果得られる画像信号をモニタ制御部９１に供給する。
【００７６】
付加部９３は、図４の付加部５３と同様に、ユーザ入力部７３から供給される、編集対象の候補の画像データのうち、重要画像の画像データを指定するための操作に対応する操作信号、並びに選択部９２から供給される画像データに基づいて、重要画像の画像データに重要画像マークを付加する。そして、付加部９３は、編集対象の候補の画像データを送信制御部９４に供給する。
【００７７】
送信制御部９４は、ユーザ入力部７３から供給される、編集関連情報を入力するための操作に対応する操作信号に基づいて、編集関連情報をネットワークI/F７６に供給するとともに、付加部９３から供給される画像データを、ネットワークI/F７６に供給する。受信制御部５８は、ネットワークI/F７６から供給される、図４の編集装置１１から送信されてきた編集データと時刻データのうち、編集データを記録再生処理部９０を介して記録部７２に記録させるとともに、時刻データを時間管理部９６に供給する。
【００７８】
時間管理部９６は、現在の時刻を計時する。また、時間管理部９６は、受信制御部９５から供給される時刻データに基づいて、図４の編集装置１１の時間管理部５７（図４）で計時される時刻と自分自身が計時する時刻が一致するように、自分自身が計時する時刻を調整する。時間管理部９６は、この調整を撮影前に行うことにより、図４の抽出部５４において、画像データを撮影順に正確に並べることができる。また、時間管理部９６は、自分自身が計時する時刻を表す時刻データをカメラ部７１に供給する。
【００７９】
ネットワークI/F７６は、送信制御部９４から供給される画像データを、ネットワーク１３を介して図４の編集装置１１のネットワークI/F３６（図４）に送信する。また、ネットワークI/F７６は、図４の編集装置１１のネットワークI/F３６から送信されてくる編集データと時刻データを受信し、受信制御部９５に供給する。
【００８０】
次に、図６乃至図８を参照して、図４の液晶モニタ３４に表示される編集画像の例について説明する。
【００８１】
なお、画像データには、画像データに固有のＩＤである画像ＩＤが、その画像データの撮影順（取得順）に１から付加されているものとし、以下では、ＩＤのｉが付加された画像データを画像＃ｉと称する。
【００８２】
図６は、編集画像が動画像である場合に液晶モニタ３４に表示される画面の例を示している。
【００８３】
図６の例では、編集データは、編集関連情報として入力された編集データ内の動画像データの再生時間（以下、指定時間と称する）内に再生可能な９個の画像＃１乃至画像＃９が順に接続されて構成される。
【００８４】
図６の例では、記録再生処理部５０は、編集データを構成する９個の画像＃１乃至画像＃９を順に読み出し、復号してモニタ制御部５１に供給する。モニタ制御部５１は、復号の結果得られる画像＃１乃至画像＃９の画像信号を基に、画像＃１乃至画像＃９に対応する動画像または静止画像を順に表示するための表示データを生成し、液晶モニタ３４に供給する。これにより、液晶モニタ３４には、画像＃１乃至画像＃９に対応する動画像または静止画像が順に、編集画像として表示される。例えば、画像＃１乃至画像＃９が静止画像である場合、画像＃１乃至画像＃９が、いわゆるスライドショーで表示される。
【００８５】
図７は、編集画像が、所定の関係に関係付けられた編集対象である場合に、液晶モニタ３４に表示される。
【００８６】
図７の例では、編集データは、９個の画像＃１乃至画像＃９が所定の関係に関係付けられることにより構成される。
【００８７】
図７の例では、記録再生処理部５０は、編集データを構成する９個の画像＃１乃至画像＃９をすべて読み出し、復号してモニタ制御部５１に供給する。モニタ制御部５１は、復号の結果得られる画像＃１乃至画像＃９の画像信号と、画像＃１乃至画像＃９が関係付けられた関係を基に、液晶モニタ３４の画面を９分割した９個の領域１０１−１乃至１０１−９のそれぞれに、各画像＃１乃至画像＃９に対応する動画像または静止画像を表示するための表示データを生成し、液晶モニタ３４に供給する。
【００８８】
即ち、図７では、編集データは、各画像＃１乃至画像＃９に対応する動画像または静止画像が、液晶モニタ３４の画面を９分割した９個の領域１０１−１乃至１０１−９のそれぞれに、表示されるように、画像＃１乃至画像＃９が関係付けられて構成されている。
【００８９】
これにより、液晶モニタ３４の９個の領域１０１−１乃至１０１−９に、編集画像の各画像＃１乃至画像＃９に対応する動画像または静止画像が、それぞれ表示される。なお、編集画像を構成する画像が動画像データである場合、領域１０１−乃至１０１−９には、その動画像データに対応する動画像のうちの、例えば先頭の画像が静止画像として表示される。
【００９０】
ここで、ユーザは、領域１０１−１乃至１０１−９のうちの、所望の動画像または静止画像が表示されている領域１０１−１乃至１０１−９を選択することにより、その選択された領域１０１−１乃至１０１−９に対応する画像＃１乃至画像＃９を再生（表示）することができる。例えば、ユーザが領域１０１−３を選択すると、領域１０１−３に対応する画像＃３が再生される。
【００９１】
図８は、編集画像が静止画像である場合に液晶モニタ３４に表示される画面の例を示している。なお、図８の例では、編集データは、４個の静止画像の画像＃１１乃至画像＃１４から構成されるものとする。
【００９２】
図８の例では、記録再生処理部５０は、編集データを構成する４個の静止画像の画像＃１１乃至画像＃１４をすべて読み出し、復号してモニタ制御部５１に供給する。モニタ制御部５１は、復号の結果得られる画像＃１１乃至画像＃１４の画像信号に基づいて、４個の画像＃１１乃至画像＃１４に対応する静止画像を、２(縦)×２（横）に並べて１枚の静止画像として表示するための表示データを生成し、液晶モニタ３４に供給する。これにより、液晶モニタ３４には、画像＃１１乃至画像＃１４に対応する静止画像が、２×２に並べて表示される。
【００９３】
なお、画像＃１１乃至画像＃１４に対応する静止画像の並べ方は、これに限定されない。また、画像＃１１乃至画像＃１４に対応する静止画像のそれぞれの大きさは、同一であっても異なっていてもよい。
【００９４】
また、上述した図６乃至図８では、編集装置１１の液晶モニタ３４に表示される編集画像の例について説明したが、撮影装置１２の液晶モニタ７４にも同様に、編集画像が表示される。
【００９５】
次に、図９を参照して、図４の編集装置１１が行う編集処理について説明する。この編集処理は、例えば、ユーザにより、図４の編集装置１１の動作モードを、編集を行うモードである自動編集モードに設定するための操作が行われたとき、開始される。
【００９６】
ステップＳ１において、選択部５２は、ユーザ入力部３３から供給される、動作モードを自動編集モードに設定するための操作に対応する操作信号に応じて、図４の編集装置１１の動作モードを自動編集モードに設定する。
【００９７】
ステップＳ２において、抽出部５４は、ユーザにより編集関連情報が入力されたか否か、即ちユーザ入力部３３から編集関連情報を入力するための操作に対応する操作信号が供給されたか否かを判定し、編集関連情報が入力されていないと判定された場合、編集関連情報が入力されるまで待機する。
【００９８】
一方、ステップＳ２において、編集関連情報が入力されたと判定された場合、ステップＳ３に進み、選択部５２は、ユーザにより編集対象の候補としてファイルまたはフォルダが指定されたか否かを判定し、編集対象の候補が指定されていないと判定された場合、編集対象の候補が指定されるまで待機する。
【００９９】
ステップＳ３において、編集対象の候補としてファイルまたはフォルダが指定されたと判定された場合、ステップＳ４に進み、選択部５２は、記録部３２から記録再生処理部５０を介して、編集対象の候補として指定されたファイルの画像データまたはフォルダに設けられたファイルの画像データを読み出し、付加部５３に供給する。
【０１００】
ステップＳ５において、付加部５３は、選択部５２から供給された画像データのうち、少なくとも１つの画像データが重要画像の画像データとして、ユーザにより指定されたか否かを判定し、少なくとも１つの画像データが重要画像の画像データとして指定されたと判定された場合、ステップＳ６に進む。
【０１０１】
ステップＳ６において、付加部５３は、選択部５２から供給された編集対象の候補とする画像データうち、ユーザにより重要画像の画像データとして指定された画像データに重要画像マークを付加し、抽出部５４に供給して図示せぬ保持部に保持させ、ステップＳ７に進む。
【０１０２】
また、ステップＳ５において、ユーザにより少なくとも１つの画像データが重要画像の画像データとして指定されていないと判定された場合、即ちユーザにより１つの画像データも重要画像の画像データとして指定されていないと判定された場合、付加部５３は、選択部５２から供給された編集対象の候補とする画像データを、そのまま抽出部５４に供給して図示せぬ保持部に保持させ、ステップＳ７に進む。
【０１０３】
ステップＳ７において、ユーザ入力部３３は、編集の開始を指令するための自動編集スタートボタンが押下（操作）されたかどうかを判定し、自動編集スタートボタンが押下されていないと判定された場合、自動編集スタートボタンが押下されるまで待機する。
【０１０４】
一方、ステップＳ７において、自動編集スタートボタンが押下されたと判定された場合、ステップＳ８に進み、受信制御部５８は、図５の撮影装置１２から送信されてくる、動作モードが、図４の編集装置１１に編集を依頼するモードである自動編集依頼モードに設定された旨を表す情報に基づいて、動作モードが自動編集依頼モードである図５の撮影装置１２の数を認識する。
【０１０５】
ステップＳ９において、受信制御部５８は、ネットワーク１３とネットワークI/F３６を介して、図５の撮影装置１２から送信されてくる画像データと編集関連情報を受信する。ステップＳ１０において、受信制御部５８は、動作モードが自動編集依頼モードであるすべての図５の撮影装置１２から、画像データと編集関連情報を受信したか否か、即ちステップＳ８で認識された数の図５の撮影装置１２から、画像データと編集関連情報を受信したか否かを判定する。
【０１０６】
ステップＳ１０において、動作モードが自動編集依頼モードであるすべての図５の撮影装置１２から、画像データと編集関連情報を受信していないと判定された場合、ステップＳ９に戻り、上述した処理を繰り返す。
【０１０７】
一方、ステップＳ１０において、動作モードが自動編集依頼モードであるすべての図５の撮影装置１２から画像データと編集関連情報を受信したと判定された場合、ステップＳ１１に進み、抽出部５４は、その画像データを図示せぬ保持部に保持させ、画像データに付加されている撮影日時に基づいて、保持されている画像データを時系列(撮影順)に並び替える。
【０１０８】
ステップＳ１２において、抽出部５４は、保持されている画像データ、もしくは、それに付加された撮影日時、または編集関連情報の編集モードに基づいて、その画像データに対して優先順位を決定する。
【０１０９】
例えば、編集モードがランダムモードである場合、抽出部５４は、撮影日時の所定の時間ごとにランダムに１枚の静止画像の静止画像データを選択し、優先順位を高くする。また、編集モードが顔メインモードである場合、抽出部５４は、人間の顔の画像の領域が大きい画像の画像データの優先順位を高くする。なお、図４の編集装置１１および図５の撮影装置１２でユーザにより入力された編集関連情報が異なる場合、例えば多数決で編集関連情報が決定される。
【０１１０】
ステップＳ１３において、抽出部５４は、編集関連情報の編集モードが静止画像モードであるか否かを判定し、編集モードが静止画像モードであると判定された場合、ステップＳ１４に進み、抽出部５４と接続部５５は、編集画像を静止画像として生成する静止画像編集処理を行う。この静止画像編集処理の詳細は、後述する図１０を参照して説明する。
【０１１１】
また、ステップＳ１３において、編集モードが静止画像モードではない、即ち編集モードが動画像モードであると判定された場合、ステップＳ１５に進み、抽出部５４と接続部５５は、編集画像を動画像として生成する動画像編集処理を行う。この動画像編集処理の詳細は、後述する図１１を参照して説明する。
【０１１２】
ステップＳ１４またはステップＳ１５の処理後は、ステップＳ１６に進み、送信制御部５６は、接続部５５から供給される編集データを、ネットワークI/F３６とネットワーク１３を介して、図５の撮影装置１２に送信する。ステップＳ１７において、記録再生処理部５０は、接続部５５から供給される編集データを記録部３２に記録させ、処理は終了する。
【０１１３】
次に、図１０を参照して、図９のステップＳ１４の静止画像編集処理について説明する。  
【０１１４】
ステップＳ３１において、抽出部５４は、重要画像マークが付加された静止画像データに対応する重要画像の枚数を認識する。ステップＳ３２において、抽出部５４は、編集関連情報の編集画像の解像度の情報に基づいて、編集対象とする静止画像の枚数を決定する。
【０１１５】
ステップＳ３３において、抽出部５４は、重要画像の枚数と編集対象とする静止画像の枚数の差分、および優先順位に基づいて、図示せぬ保持部に保持されている画像データから、編集対象とする静止画像データを抽出する。具体的には、重要画像の枚数が編集対象とする静止画像の枚数より少ない場合、抽出部５４は、その枚数の差分の静止画像の静止画像データを、優先順位の高い順に選択し、その選択された静止画像データと重要画像の静止画像データを、保持部から抽出して編集対象とする。
【０１１６】
一方、重要画像の枚数が編集対象とする静止画像の枚数より多い場合、抽出部５４は、その枚数の差分の重要画像の静止画像データを、優先順位の低い順に選択し、その選択された静止画像データを除く重要画像の静止画像データを、保持部から抽出して編集対象とする。
【０１１７】
ステップＳ３４において、抽出部５４は、編集モードや編集画像の解像度の情報に基づいて、編集対象の静止画像データに対して、色変換やサイズ変換などの調整を行う。
【０１１８】
ステップＳ３５において、抽出部５４は、編集対象の静止画像データに対応する静止画像のレイアウトを決定し、そのレイアウトを表すレイアウト情報と編集対象を接続部５５に供給する。ステップＳ３６において、接続部５５は、抽出部５４から供給されるレイアウト情報に基づいて編集対象を接続し、編集データを生成する。具体的には、接続部５５は、レイアウト情報に基づいて、図８に示したように、編集対象の静止画像を並べた１枚の静止画像を編集画像とし、その編集画像の静止画像データを、編集データとして生成する。そして、接続部５５は、編集データを記録再生処理部５０と送信制御部５６に供給し、処理は図９のステップＳ１５に進む。
【０１１９】
なお、このとき、接続部５５は、編集対象である静止画像の全体を用いて編集画像を生成するのではなく、編集対象である静止画像の一部(例えば、右半分や顔の画像など)を用いて、編集画像を生成するようにしてもよい。
【０１２０】
次に、図１１を参照して、図９のステップＳ１５の動画像編集処理について説明する。  
【０１２１】
ステップＳ５１において、抽出部５４は、重要画像マークが付加された画像データに対応する重要画像のうちの、動画像の再生時間と静止画像の枚数を認識する。ステップＳ５２において、抽出部５４は、編集関連情報の指定時間と編集画像の解像度の情報に基づいて、編集対象とする動画像の再生時間と静止画像の枚数を決定する。
【０１２２】
ステップＳ５３において、抽出部５４は、重要画像のうちの動画像の再生時間と編集対象とする動画像の再生時間の差分、重要画像のうちの静止画像の枚数と編集対象とする静止画像の枚数の差分、および優先順位に基づいて、図示せぬ保持部から編集対象とする画像データを抽出する。
【０１２３】
なお、編集対象とする画像データは、静止画像データと動画像データのいずれか一方だけであっても、両方であってもよい。編集対象とする画像データが、静止画像データと動画像データのいずれか一方だけである場合、編集対象とする動画像の再生時間または静止画像の枚数が０となる。
【０１２４】
ステップＳ５４において、抽出部５４は、編集モードや編集画像の解像度の情報に基づいて、編集対象の画像データに対して、色変換やサイズ変換などの調整を行い、その結果得られる編集対象を接続部５５に供給する。
【０１２５】
ステップＳ５５において、接続部５５は、抽出部５４から供給される編集対象を接続し、図６や図７に示した編集画像の画像データを、編集データとして生成する。なお、このとき、接続部５５は、ワイプ、フェードイン、フェードアウトなどのトランジションを編集対象である画像データに付加してもよい。また、編集対象が静止画像データである場合、画像データに音声データが付加されていないので、接続部５５は、編集画像のBGM（background music）として図示せぬサーバから楽曲のデータを取得し、その楽曲のデータを編集データに付加してもよい。
【０１２６】
また、接続部５５は、編集対象である動画像または静止画像の全体を用いて編集画像を生成するのではなく、編集対象である動画像または静止画像の一部(例えば、右半分や顔の画像など)を用いて、編集画像を生成するようにしてもよい。
【０１２７】
その後、接続部５５は、編集データを記録再生処理部５０と送信制御部５６に供給し、処理は図９のステップＳ１６に進む。
【０１２８】
なお、図９乃至図１１の説明では、編集画像を、動画像または静止画像として生成する場合について説明したが、編集対象を所定の関係に関係付けることにより編集画像を生成する場合は、編集画像を動画像として生成する場合と同様に編集処理が行われる。この場合、例えば、ユーザにより、編集対象を所定の関係に関係付けることにより編集画像を生成するモードである関係モードが編集モードとして入力され、図９の編集処理において、図１１の動画像編集処理と同様の処理が行われる。なお、この場合、図１１のステップＳ５５において、接続部５５は、編集対象である画像データを接続するのではなく、所定の関係に関係付ける。
【０１２９】
次に、図１２を参照して、図５の撮影装置１２が図４の編集装置１１に編集を依頼する編集依頼処理について説明する。この編集依頼処理は、例えば、ユーザにより、依頼先を図４の編集装置１１に指定し、動作モードを編集を依頼するモードである自動編集依頼モードに設定するための操作が行われたとき、開始される。
【０１３０】
ステップＳ７１において、付加部９３は、ユーザ入力部７３から供給される、依頼先を図４の編集装置１１に指定し、動作モードを自動編集モードに設定するための操作に対応する操作信号に応じて、図５の撮影装置１２の動作モードを自動編集モードに設定する。また、付加部９３は、依頼先として指定された図４の編集装置１１を表す情報と、動作モードが自動編集モードに設定された旨を表す情報とを、送信制御部９４に供給する。
【０１３１】
送信制御部９４は、ネットワークI/F７６とネットワーク１３を介して、依頼先である図４の編集装置１１に、動作モードが自動編集モードに設定された旨を表す情報を送信する。この情報に基づいて、図４の編集装置１１は、図９のステップＳ８で自動編集依頼モードである図５の撮影装置１２の数を認識する。
【０１３２】
ステップＳ７２において、付加部９３は、ユーザにより編集関連情報が入力されたか否か、即ちユーザ入力部７３から編集関連情報を入力するための操作に対応する操作信号が供給されたか否かを判定し、編集関連情報が入力されていないと判定された場合、編集関連情報が入力されるまで待機する。
【０１３３】
一方、ステップＳ７２において、編集関連情報が入力されたと判定された場合、ステップＳ７３に進み、選択部９２は、ユーザにより編集対象の候補としてファイルまたはフォルダが指定されたか否かを判定し、編集対象の候補が指定されていないと判定された場合、編集対象の候補が指定されるまで待機する。
【０１３４】
ステップＳ７３において、編集対象の候補としてファイルまたはフォルダが指定されたと判定された場合、ステップＳ７４に進み、選択部９２は、記録部７２から記録再生処理部９０を介して、編集対象の候補として指定されたファイルの画像データまたはフォルダに設けられたファイルの画像データを読み出し、付加部９３に供給する。
【０１３５】
ステップＳ７５において、付加部９３は、選択部９２から供給された画像データのうち、少なくとも１つの画像データが重要画像の画像データとして、ユーザにより指定されたか否かを判定し、少なくとも１つの画像データが重要画像の画像データとして指定されたと判定された場合、ステップＳ７６に進む。
【０１３６】
ステップＳ７６において、付加部９３は、選択部９２から供給された編集対象の候補とする画像データのうち、ユーザにより重要画像の画像データとして指定された画像データに重要画像マークを付加し、編集対象の候補とする画像データと編集関連情報を、送信制御部９４に供給して、ステップＳ７７に進む。
【０１３７】
また、ステップＳ７５において、ユーザにより少なくとも１つの画像データが重要画像の画像データとして指定されていないと判定された場合、即ちユーザにより１つの画像データも重要画像の画像データとして指定されていないと判定された場合、付加部９３は、選択部９２から供給された編集対象の候補とする画像データを、そのまま送信制御部９４に供給するとともに、編集関連情報を送信制御部９４に供給し、ステップＳ７７に進む。
【０１３８】
ステップＳ７７において、ユーザ入力部７３は、編集の開始を指令するための自動編集スタートボタンが押下（操作）されたかどうかを判定し、自動編集スタートボタンが押下されていないと判定された場合、自動編集スタートボタンが押下されるまで待機する。
【０１３９】
一方、ステップＳ７７において、自動編集スタートボタンが押下されたと判定された場合、ステップＳ７８に進み、送信制御部９４は、付加部９３から供給される編集対象の候補とする画像データと編集関連情報を、ネットワークI/F７６とネットワーク１３を介して、図４の編集装置１１に送信する。この画像データと編集関連情報は、図９のステップＳ９で図４の編集装置１１により受信される。その後、図４の編集装置１１は、図１０の静止画像編集処理または図１１の動画像編集処理を行い、図９のステップS1６において、編集データを図５の撮影装置１２に送信する。
【０１４０】
ステップＳ７９において、受信制御部９５は、ネットワーク１３とネットワークI/F７６を介して、編集データが図４の編集装置１１から送信されてきたか否かを判定する。ステップＳ７９において、編集データが図４の編集装置１１から送信されてきてないと判定された場合、編集データが図４の編集装置１１から送信されてくるまで待機する。
【０１４１】
一方、ステップＳ７９において、編集データが図４の編集装置１１から送信されてきたと判定された場合、ステップＳ８０に進み、受信制御部９５は、ネットワーク１３とネットワークI/F７６を介して編集データを受信し、記録再生処理部９０に供給する。
【０１４２】
ステップＳ８１において、記録再生処理部９０は、受信制御部９５から供給される編集データを記録部７２に供給して記録させ、処理は終了する。
【０１４３】
図１３は、編集装置１１の他の構成例を示すブロック図である。
【０１４４】
図１３の編集装置１１は、カメラ部３１、記録部３２、ユーザ入力部３３、液晶モニタ３４、および制御部１１５、およびネットワークI/F１１６から構成される。図１３の編集装置１１は、後述する図１４の撮影装置１２から、編集対象の候補とする画像データに対応する、その画像データに比べてデータ量の少ない画像データ（以下、少データ量データと称する）を受信して編集対象を決定し、その後編集対象である画像データだけを受信する。なお、少データ量データには、対応する画像データに付加されている撮影日時と画像ＩＤが付加されている。
【０１４５】
なお、図４と同一の符号を付したものは同一のものであり、説明は繰り返しになるので省略する。
【０１４６】
制御部１１５は、記録再生処理部５０、モニタ制御部５１、選択部５２、付加部５３、接続部５５、時間管理部５７、抽出部１２１、リスト作成部１２２、送信制御部１２３、および受信制御部１２４から構成される。
【０１４７】
抽出部１２１は、図示せぬ保持部を有し、付加部５３から供給される画像データと、受信制御部１２４から供給される少データ量データとを、一時的に保持する。抽出部１２１は、保持されている画像データと少データ量データに付加された撮影日時に基づいて、画像データと少データ量データを撮影順（時系列）に並び替える。また、抽出部１２１は、画像データと少データ量データに付加された撮影日時、画像データと少データ量データ、またはユーザ入力部３３から供給される編集関連情報を入力するための操作に対応する操作信号に基づいて、その画像データと少データ量データに対して優先順位を決定する。
【０１４８】
抽出部１２１は、優先順位、画像データと少データ量データに付加された重要画像マーク、ユーザ入力部３３から供給される編集関連情報を入力するための操作に対応する操作信号、および受信制御部１２４から供給される編集関連情報に基づいて、編集対象とする画像データを決定する。そして、抽出部１２１は、図示せぬ保持部から、編集対象として決定された画像データを抽出するとともに、その他の編集対象として決定された画像データの、即ち図１４の撮影装置１２から送信されてきた少データ量データに対応する画像データの、画像ＩＤを、その画像データを指定するデータとして、リスト作成部１２２に供給する。
【０１４９】
また、抽出部１２１は、抽出された画像データと、受信制御部１２４から供給される画像データを、接続部５５に供給する。リスト作成部１２２は、抽出部１２１から供給される画像ＩＤに基づいて、その画像ＩＤのリストを作成し、送信制御部１２３に供給する。なお、編集対象とする画像データが動画像データである場合、画像ＩＤに対応して、編集対象とする動画像データの区間の情報（例えば、フレーム番号など）がリストに登録される。
【０１５０】
送信制御部１２３は、リスト作成部１２２から供給されるリストを、ネットワークI/F１１６に供給する。また、送信制御部１２３は、図４の送信制御部５６と同様に、接続部５５から供給される編集データを、ネットワークI/F１１６に供給する。さらに、送信制御部１２３は、送信制御部５６と同様に、時間管理部５７から供給される時刻データを、ネットワークI/F１１６に供給する。
【０１５１】
受信制御部１２４は、ネットワークI/F１１６から供給される、図１４の撮影装置１２から送信されてきた少データ量データと編集関連情報を、抽出部１２１に供給する。また、受信制御部１２４は、ネットワークI/F１１６から供給される、図１４の撮影装置１２から送信されてきた画像データを、抽出部１２１に供給する。
【０１５２】
ネットワークI/F１１６は、送信制御部１２３から供給される編集データ、時刻データ、およびリストを、ネットワーク１３を介して図１４の撮影装置１２に送信する。また、ネットワークI/F１１６は、図１４の撮影装置１２から送信されてくる少データ量データと編集関連情報、並びに画像データを受信し、受信制御部１２４に供給する。
【０１５３】
図１４は、撮影装置１２の他の構成例を示すブロック図である。
【０１５４】
図１４の撮影装置１２は、カメラ部７１、記録部７２、ユーザ入力部７３、液晶モニタ７４、制御部１３５、およびネットワークI/F１３６から構成され、編集対象の候補とする画像データの少データ量データを、図１３の編集装置１１に送信し、その後、図１３の編集装置１１から送信されてくるリストに対応する編集対象の画像データを、図１３の編集装置１１に送信する。
【０１５５】
なお、図５と同一のものには、同一の符号を付してあり、説明は繰り返しになるので省略する。
【０１５６】
制御部１３５は、モニタ制御部９１、時間管理部９６、記録再生処理部１４０、選択部１４１、作成部１４２、付加部１４３、送信制御部１４４、および受信制御部１４５から構成される。
【０１５７】
記録再生処理部１４０は、受信制御部１４５から供給される、図１３の編集装置１１から送信されてきたリストに基づいて、そのリストの画像ＩＤで指定される画像データ、即ちリストの画像ＩＤが付加された画像データを、記録部７２から編集対象として読み出し、送信制御部１４４に供給する。
【０１５８】
また、記録再生処理部１４０は、図５の記録再生処理部９０と同様に、カメラ部７１から供給される画像信号のうちの１つの静止画像に対応する画像信号から、静止画像データを生成するとともに、カメラ部７１から供給される画像信号と音声信号から動画像データを生成し、静止画像データと動画像データを記録部７２に供給して記録させる。記録再生処理部１４０は、記録再生処理部９０と同様に、受信制御部１４５から供給される編集データを記録部７２に供給して記録させる。
【０１５９】
さらに、記録再生処理部１４０は、記録再生処理部９０と同様に、記録部７２から画像データまたは編集データを読み出し、その画像データまたは編集データを復号して、モニタ制御部９１に供給する。
【０１６０】
選択部１４１は、選択部９２と同様に、ユーザ入力部７３から供給される、編集対象の候補を指定するための操作に対応する操作信号に基づいて、記録部７２に記録されている画像データから、ユーザにより編集対象の候補として指定されたファイルの画像データまたはフォルダに設けられたファイルの画像データを選択し、その画像データを記録再生処理部１４０を介して記録部７２から読み出す。そして、選択部１４１は、その読み出された画像データを作成部１４２に供給する。
【０１６１】
作成部１４２は、選択部１４１から供給される画像データのうちの静止画像データに基づいて、サムネイル画像の画像データを作成する。また、作成部１４２は、選択部１４１から供給される画像データのうちの動画像データに基づいて、低フレームレートの動画像データを作成する。作成部１４２は、サムネイル画像の画像データまたは低フレームレートの動画像データを、少データ量データとして付加部１４３に供給する。
【０１６２】
付加部１４３は、ユーザ入力部７３から供給される、編集対象の候補とする画像データのうち、重要画像の画像データを指定するための操作に対応する操作信号、並びに作成部１４２から供給される少データ量データに基づいて、重要画像の画像データに対応する少データ量データに、重要画像マークを付加する。そして、付加部１４３は、少データ量データを送信制御部１４４に供給する。
【０１６３】
送信制御部１４４は、図５の送信制御部９４と同様に、ユーザ入力部７３から供給される、編集関連情報を入力するための操作に対応する操作信号に基づいて、編集関連情報をネットワークI/F１３６に供給するとともに、付加部１４３から供給される少データ量データをネットワークI/F１３６に供給する。また、送信制御部１４４は、記録再生処理部１４０から供給される編集対象である画像データを、ネットワークI/F１３６に供給する。
【０１６４】
受信制御部１４５は、ネットワークI/F１３６から供給される、図１３の編集装置１１から送信されてきたリスト、編集データ、および時刻データのうち、リストと編集データを記録再生処理部１４０に供給し、時刻データを時間管理部９６に供給する。
【０１６５】
ネットワークI/F１３６は、送信制御部１４４から供給される少データ量データと編集関連情報、並びに編集対象である画像データを、ネットワーク１３を介して図１３の編集装置１１のネットワークI/F１１６（図１３）に送信する。また、ネットワークI/F１３６は、図１３の編集装置１１のネットワークI/F１１６から送信されてくるリスト、編集データ、および時刻データを受信し、受信制御部１４５に供給する。
【０１６６】
次に、図１５を参照して、図１３の編集装置１１が行う編集処理について説明する。この編集処理は、例えば、ユーザにより、図１３の編集装置１１の動作モードを自動編集モードに設定するための操作が行われたとき、開始される。
【０１６７】
ステップＳ１０１乃至ステップＳ１０８の処理は、図９のステップＳ１乃至Ｓ８の処理と同様であり、説明は省略する。
【０１６８】
ステップＳ１０９において、受信制御部１２４は、ネットワーク１３とネットワークI/F１１６を介して、図１４の撮影装置１２から送信されてくる少データ量データと編集関連情報を受信する。ステップＳ１１０において、受信制御部１２４は、動作モードが自動編集依頼モードであるすべての図１４の撮影装置１２から、少データ量データと編集関連情報を受信したか否か、即ちステップＳ１０８で認識された数の図１４の撮影装置１２から、少データ量データと編集関連情報を受信したか否かを判定する。
【０１６９】
ステップＳ１１０において、動作モードが自動編集依頼モードであるすべての図１４の撮影装置１２から、画像データと編集関連情報を受信していないと判定された場合、ステップＳ１０９に戻り、上述した処理を繰り返す。
【０１７０】
一方、ステップＳ１１０において、動作モードが自動編集依頼モードであるすべての図１４の撮影装置１２から、少データ量データと編集関連情報を受信したと判定された場合、ステップＳ１１１に進み、抽出部１２１は、その少データ量データを図示せぬ保持部に保持させ、画像データと少データ量データに付加されている撮影日時に基づいて、保持されている画像データと少データ量データを時系列(撮影順)に並び替える。
【０１７１】
ステップＳ１１２において、抽出部１２１は、保持されている画像データと少データ量データ、もしくはそれらに付加された撮影日時、または編集関連情報の編集モードに基づいて、その画像データと少データ量データに対して優先順位を決定する。
【０１７２】
ステップＳ１１３において、抽出部１２１は、編集関連情報の編集モードが静止画像モードであるか否かを判定し、編集モードが静止画像モードであると判定された場合、ステップＳ１１４に進み、抽出部１２１と接続部５５は、編集画像を静止画像として生成する静止画像編集処理を行う。この静止画像編集処理の詳細は、後述する図１６を参照して説明する。
【０１７３】
また、ステップＳ１１３において、編集モードが静止画像モードではない、即ち編集モードが動画像モードであると判定された場合、ステップＳ１１５に進み、抽出部１２１と接続部５５は、編集画像を動画像として生成する動画像編集処理を行う。この動画像編集処理の詳細は、後述する図１７を参照して説明する。
【０１７４】
ステップＳ１１４またはステップＳ１１５の処理後は、ステップＳ１１６に進み、送信制御部１２３は、接続部５５から供給される編集データを、ネットワークI/F１１６とネットワーク１３を介して、図１４の撮影装置１２に送信する。ステップＳ１１７において、記録再生処理部５０は、接続部５５から供給される編集データを記録部３２に記録させ、処理は終了する。
【０１７５】
次に、図１６を参照して、図１５のステップＳ１１４の静止画像編集処理について説明する。
【０１７６】
ステップＳ１３１において、抽出部１２１は、重要画像マークが付加された静止画像データと静止画像データの少データ量データに対応する重要画像の枚数を認識する。ステップＳ１３２において、抽出部１２１は、編集関連情報の編集画像の解像度の情報に基づいて、編集対象とする静止画像の枚数を決定する。
【０１７７】
ステップＳ１３３において、抽出部１２１は、重要画像の枚数と編集対象とする静止画像の枚数の差分、および優先順位に基づいて、図示せぬ保持部に保持されている画像データから、編集対象とする静止画像データと少データ量データを決定し、編集対象とする静止画像データを抽出するとともに、少データ量データに付加された画像ＩＤをリスト作成部１２２に供給する。
【０１７８】
ステップＳ１３４において、リスト作成部１２２は、抽出部１２１から供給される画像ＩＤに基づいて、その画像ＩＤのリストを作成し、送信制御部１２３に供給する。ステップＳ１３５において、送信制御部１２３は、ステップＳ１３４で供給されるリストを、ネットワークI/F１１６とネットワーク１３を介して、図１３の編集装置１１に送信する。
【０１７９】
ステップＳ１３６において、受信制御部１２４は、ステップＳ１３５で送信されたリストに対応して、図１３の編集装置１１から送信されてくる編集対象である静止画像データを受信し、抽出部１２１に供給する。ステップＳ１３７において、抽出部１２１は、編集関連情報の編集モードや編集画像の解像度の情報に基づいて、編集対象の静止画像データ（ステップＳ１３３で抽出された静止画像データとステップＳ１３６で受信された静止画像データ）に対して、色変換やサイズ変換などの調整を行う。
【０１８０】
ステップＳ１３８において、抽出部１２１は、編集対象の静止画像データに対応する静止画像のレイアウトを決定し、そのレイアウトを表すレイアウト情報と編集対象を接続部５５に供給する。ステップＳ１３９において、接続部５５は、抽出部１２１から供給されるレイアウト情報に基づいて編集対象を接続し、編集データを生成する。そして、接続部５５は、編集データを記録再生処理部５０と送信制御部１２３に供給し、処理は図１５のステップＳ１１６に進む。
【０１８１】
次に、図１７を参照して、図１５のステップＳ１５の動画像編集処理について説明する。  
【０１８２】
ステップＳ１５１において、抽出部１２１は、重要画像マークが付加された画像データと少データ量データに対応する重要画像のうちの、動画像の再生時間と静止画像の枚数を認識する。ステップＳ１５２において、抽出部１２１は、編集関連情報の指定時間と編集画像の解像度の情報に基づいて、編集対象とする動画像の再生時間と静止画像の枚数を決定する。
【０１８３】
ステップＳ１５３において、抽出部１２１は、重要画像のうちの動画像の再生時間と編集対象とする動画像の再生時間の差分、重要画像のうちの静止画像の枚数と編集対象とする静止画像の枚数の差分、および優先順位に基づいて、図示せぬ保持部に保持されている画像データから、編集対象とする画像データを決定し、編集対象とする静止画像データを抽出するとともに、少データ量データに付加された画像ＩＤをリスト作成部１２２に供給する。
【０１８４】
ステップＳ１５４において、リスト作成部１２２は、抽出部１２１から供給される画像ＩＤに基づいて、その画像ＩＤのリストを作成し、送信制御部１２３に供給する。ステップＳ１５５において、送信制御部１２３は、ステップＳ１５４で供給されるリストを、ネットワークI/F１１６とネットワーク１３を介して、図１３の編集装置１１に送信する。
【０１８５】
ステップＳ１５６において、受信制御部１２４は、ステップＳ１５５で送信されたリストに対応して、図１３の編集装置１１から送信されてくる編集対象である画像データを受信し、抽出部１２１に供給する。
【０１８６】
ステップＳ１５７において、抽出部１２１は、編集関連情報の編集モードや編集画像の解像度の情報に基づいて、編集対象の画像データに対して、色変換やサイズ変換などの調整を行い、その結果得られる編集対象を接続部５５に供給する。ステップＳ１５８において、接続部５５は、抽出部５４から供給される編集対象を接続し、図６や図７に示した編集画像の画像データを、編集データとして生成する。そして、接続部５５は、その編集データを記録再生処理部５０と送信制御部１２３に供給し、処理は図１５のステップＳ１１６に進む。
【０１８７】
次に、図１８を参照して、図１４の撮影装置１２が図１３の編集装置１１に編集を依頼する編集依頼処理について説明する。この編集依頼処理は、例えば、ユーザにより、依頼先を図１３の編集装置１１に指定し、動作モードを自動編集依頼モードに設定するための操作が行われたとき、開始される。
【０１８８】
ステップＳ１７１乃至ステップＳ１７４の処理は、図１２のステップＳ７１乃至Ｓ７４の処理と同様であるので、説明は省略する。
【０１８９】
ステップＳ１７５において、作成部１４２は、ステップＳ１７４で読み出された編集対象の候補とする画像データに基づいて、少データ量データを作成し、付加部１４３に供給する。ステップＳ１７６において、付加部１４３は、編集対象とする画像データのうち、少なくとも１つの画像データが重要画像の画像データとして、ユーザにより指定されたか否かを判定し、少なくとも１つの画像データが重要画像の画像データとして指定されたと判定された場合、ステップＳ１７７進む。
【０１９０】
ステップＳ１７７において、付加部１４３は、ステップＳ１７４で読み出された編集対象の候補とする画像データの少データ量データのうち、ユーザにより重要画像の画像データとして指定された画像データに対応する少データ量データに重要画像マークを付加し、少データ量データと編集関連情報を、送信制御部１４４に供給して、ステップＳ１７８に進む。
【０１９１】
また、ステップＳ１７６において、ユーザにより少なくとも１つの画像データが重要画像の画像データとして指定されていないと判定された場合、付加部１４３は、ステップＳ１７５で供給された少データ量データを、そのまま送信制御部１４４に供給するとともに、編集関連情報を送信制御部１４４に供給し、ステップＳ１７８に進む。
【０１９２】
ステップＳ１７８において、ユーザ入力部７３は、自動編集スタートボタンが押下されたかどうかを判定し、自動編集スタートボタンが押下されていないと判定された場合、自動編集スタートボタンが押下されるまで待機する。
【０１９３】
一方、ステップＳ１７８において、自動編集スタートボタンが押下されたと判定された場合、ステップＳ１７９に進み、送信制御部１４４は、付加部１４３から供給される編集対象の候補とする少データ量データと編集関連情報を、ネットワークI/F１３６とネットワーク１３を介して、図１３の編集装置１１に送信する。
【０１９４】
このように、図１４の撮影装置１２は、編集対象の候補とする画像データを送信するのではなく、その画像データの少データ量データを送信するので、ネットワーク１３の転送速度が遅い場合であっても、図１４の撮影装置１２に記録されている編集対象の候補を、図１３の編集装置１１に素早く把握させることができる。また、図１３の編集装置１１の抽出部１２１が有する図示せぬ保持部の空き容量が小さい場合であっても、編集対象の候補の少データ量データを保持させることにより、その少データ量データから編集対象を決定することができる。
【０１９５】
この後、編集対象の候補の少データ量データと編集関連情報は、図１５のステップＳ１０９で図１３の編集装置１１により受信される。そして、図１３の編集装置１１は、図１６の静止画像編集処理または図１７の動画像編集処理を行う。その結果、図１６のステップＳ１３５または図１７のステップＳ１５５において、図１３の編集装置１１から図１４の撮影装置１２にリストが送信される。
【０１９６】
ステップＳ１８０において、受信制御部１４５は、ネットワーク１３とネットワークI/F１３６を介して、リストが図１３の編集装置１１から送信されてきたか否かを判定する。ステップＳ１８０において、リストが図１３の編集装置１１から送信されてきてないと判定された場合、リストが図１３の編集装置１１から送信されてくるまで待機する。
【０１９７】
一方、ステップＳ１８０において、リストが図１３の編集装置１１から送信されてきたと判定された場合、ステップＳ１８１に進み、受信制御部１４５は、ネットワーク１３とネットワークI/F１３６を介してリストを受信し、記録再生処理部１４０に供給する。
【０１９８】
ステップＳ１８２において、記録再生処理部１４０は、受信制御部１４５から供給されるリストに基づいて、そのリストに登録されている画像ＩＤに対応する画像データを記録部７２から読み出し、編集対象として送信制御部１４４に供給する。ステップＳ１８３において、送信制御部１４４は、ステップＳ１８２で供給された編集対象である画像データを、ネットワークI/F１３６とネットワーク１３を介して、図１３の編集装置１１に送信する。
【０１９９】
この編集対象である画像データは、図１６のステップＳ１３６または図１７のステップＳ１５６で図１３の編集装置１１により受信される。その後、図１５のステップＳ１１６において、図１３の編集装置１１は、編集対象である画像データに基づいて生成された編集データを、図１４の撮影装置１２に送信する。
【０２００】
ステップＳ１８４において、受信制御部１４５は、ネットワーク１３とネットワークI/F１３６を介して、編集データが図１３の編集装置１１から送信されてきたか否かを判定する。ステップＳ１８４において、編集データが図１３の編集装置１１から送信されてきてないと判定された場合、編集データが図１３の編集装置１１から送信されてくるまで待機する。
【０２０１】
一方、ステップＳ１８４において、編集データが図１３の編集装置１１から送信されてきたと判定された場合、ステップＳ１８５に進み、受信制御部９５は、ネットワーク１３とネットワークI/F１３６を介して編集データを受信し、記録再生処理部１４０に供給する。
【０２０２】
ステップＳ１８６において、記録再生処理部１４０は、受信制御部１４５から供給される編集データを記録部７２に供給して記録させ、処理は終了する。
【０２０３】
なお、上述した説明では、記録部３２または記録部７２に記録されている画像データのうち、ユーザにより編集対象の候補として指定されたファイルの画像データまたはフォルダに設けられたファイルの画像データが、抽出部５４（１２１）に供給されるようにしたが、記録部３２または記録部７２に画像データが記録されると、その画像データが抽出部５４（１２１）に供給されるようにしてもよい。
【０２０４】
また、上述した説明では、図４や図１３の編集装置１１がネットワーク１３を介して編集データを撮影装置１２に送信し、編集データを撮影装置１２の記録部７２に記録するようにしたが、編集装置１１は、編集データを送信しなくてもよい。この場合、例えば、編集装置１１のユーザが、編集データを記録する記録部３２である所定のドライブに駆動される光ディスクなどを、撮影装置１２−１と撮影装置１２−２のユーザに配布することにより、編集装置１１、撮影装置１２−１、および撮影装置１２−２のユーザが編集データを共有することができる。
【０２０５】
さらに、上述した説明では、編集装置１１が撮影機能と編集機能を有し、撮影装置１２−１および撮影装置１２−２が、撮影機能だけを有するものとしたが、編集装置１１、撮影装置１２−１、および撮影装置１２−２が、それぞれ、撮影機能と編集機能を有するようにしてもよい。この場合、編集装置１１、撮影装置１２−１、および撮影装置１２−２のそれぞれにおいて、ユーザが、自動編集モードまたは自動編集依頼モードを設定するための操作を行うことにより、編集装置１１、撮影装置１２−１、および撮影装置１２−２のうち、図９や図１５の編集処理を行う装置、または図１２や図１８の編集依頼処理を行う装置を決定することができる。
【０２０６】
また、編集装置１１は、撮影機能を有する必要はなく、例えば、パーソナルコンピュータ、サーバなどであってもよい。さらに、撮影装置１２は、デジタルスチルカメラまたはカムコーダに限らず、撮影機能を有する機器であれば足り、例えば、パーソナルコンピュータまたはカメラ付き携帯電話機などであってもよい。
【０２０７】
また、編集装置１１が編集データを送信する前に、撮影装置１２は、編集データをストリーミング再生するようにしてもよい。この場合、撮影装置１２のユーザは、編集データを事前に確認することができる。
【０２０８】
さらに、上述した説明では、重要画像マークは、画像データに付加されるものとしたが、重要画像マークは、画像データとは別に、対応する画像データと対応付けて送信されるようにしてもよい。
【０２０９】
以上のように、撮影装置１２−１と撮影装置１２−２のそれぞれが、編集対象の候補とする画像データ、並びに、その画像データの編集を指示する重要画像マークと編集関連情報を編集装置１１に送信し、編集装置１１が、重要画像マークと編集関連情報に応じて編集を行い、その結果得られる編集データを撮影装置１２−１と撮影装置１２−２のそれぞれに送信するので、複数の装置のそれぞれが有する画像データに対する編集の結果を、複数の装置で共有することができる。
【０２１０】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０２１１】
図１９は、上述した一連の処理をプログラムにより実行するパーソナルコンピュータの構成の例を示すブロック図である。CPU（Central Processing Unit）２０１は、ROM（Read Only Memory）２０２、または記録部２０８に記憶されているプログラムに従って各種の処理を実行する。RAM（Random Access Memory）２０３には、CPU２０１が実行するプログラムやデータなどが適宜記憶される。これらのCPU２０１、ROM２０２、およびRAM２０３は、バス２０４により相互に接続されている。例えば、CPU２０１、ROM２０２、およびRAM２０３は、マイクロコンピュータ（マイコン）として構成される。
【０２１２】
CPU２０１にはまた、バス２０４を介して入出力インターフェース２０５が接続されている。入出力インターフェース２０５には、カメラ、キーボード、マウス、マイクロホンなどよりなる入力部２０６、ディスプレイ、スピーカなどよりなる出力部２０７が接続されている。入力部２０６は、カメラ部３１とユーザ入力部３３、またはカメラ部７１とユーザ入力部７３に対応する。また、出力部２０７は、液晶モニタ３４または液晶モニタ７４に対応する。
【０２１３】
CPU２０１は、入力部２０６から入力される指令に対応して各種の処理を実行する。そして、CPU２０１は、処理の結果を出力部２０７に出力する。
【０２１４】
入出力インターフェース２０５に接続されている記録部２０８は、例えばハードディスクなどからなり、CPU２０１が実行するプログラムや各種のデータを記録する。記録部２０８は、記録部３２または記録部７２に対応する。通信部２０９は、ネットワーク１３を介して外部の装置と通信する。通信部２０９は、ネットワークI/F３６、ネットワークI/F７６、ネットワークI/F１１６、またはネットワークI/F１３６に対応する。
【０２１５】
また、プログラムは通信部２０９を介して取得され、記録部２０８に記録されるようにしてもよい。
【０２１６】
入出力インターフェース２０５に接続されているドライブ２１０は、磁気ディスク、光ディスク、光磁気ディスク、或いは半導体メモリなどのリムーバブルメディア２１１が装着されたとき、それらを駆動し、そこに記録されているプログラムやデータなどを取得する。取得されたプログラムやデータは、必要に応じて記録部２０８に転送され、記録される。
【０２１７】
一連の処理をさせるプログラムが格納されている記録媒体は、図１９に示すように、コンピュータとは別に、ユーザにプログラムを提供するために配布される、プログラムが記録されている磁気ディスク（フレキシブルディスクを含む）、光ディスク（CD-ROM(Compact Disc-Read Only Memory)、DVD(Digital Versatile Disc)を含む）、光磁気ディスク（MD(Mini-Disc)（商標）を含む）、若しくは半導体メモリなどのリムーバブルメディア２１１よりなるパッケージメディアにより構成されるだけでなく、コンピュータに予め組み込まれた状態でユーザに提供される、プログラムが記録されているROM２０２や、記録部２０８に含まれるハードディスクなどで構成される。
【０２１８】
なお、上述した一連の処理を実行させるプログラムは、必要に応じてルータ、モデムな
どのインターフェースを介して、ローカルエリアネットワーク、インターネット、デジタル衛星放送といった、有線または無線の通信媒体を介してコンピュータにインストールされるようにしてもよい。
【０２１９】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０２２０】
なお、本明細書において、システムとは、複数の装置により構成される装置全体を表すものである。
【０２２１】
また、本発明の実施の形態は、上述した実施の形態に限定されるものではなく、本発明の要旨を逸脱しない範囲において種々の変更が可能である。
【図面の簡単な説明】
【０２２２】
【図１】本発明に係るネットワークシステムの一実施の形態の外観構成例を示す図である。
【図２】図１のネットワークシステムにおける動作について説明する図である。
【図３】図１のネットワークシステムにおける動作について説明する図である。
【図４】編集装置の構成例を示すブロック図である。
【図５】撮影装置の構成例を示すブロック図である。
【図６】編集画像の例を説明する図である。
【図７】編集画像の例を説明する図である。
【図８】編集画像の例を説明する図である。
【図９】編集処理について説明するフローチャートである。
【図１０】静止画像編集処理について説明するフローチャートである。
【図１１】動画像編集処理について説明するフローチャートである。
【図１２】編集依頼処理について説明するフローチャートである。
【図１３】編集装置の他の構成例を示すブロック図である。
【図１４】撮影装置の他の構成例を示すブロック図である。
【図１５】編集処理について説明する他のフローチャートである。
【図１６】静止画像編集処理について説明する他のフローチャートである。
【図１７】動画像編集処理について説明する他のフローチャートである。
【図１８】編集依頼処理について説明する他のフローチャートである。
【図１９】パーソナルコンピュータの構成例を示すブロック図である。
【符号の説明】
【０２２３】
１１  編集装置，  １２−１，１２−１  撮影装置，  ５６  送信制御部，  ５４  抽出部，  ５５  接続部，    ５８  受信制御部，  ９２  選択部，  ９３  付加部，  ９４  送信制御部，  ９５  受信制御部，  １２１  抽出部，  １２３  送信制御部，  １２４  受信制御部，  １４４  送信制御部，  １４５  受信制御部，  ２０１  CPU，  ２０２  ROM，  ２０３  RAM，  ２０８  記録部，  ２１１  リムーバブルメディア
【図１】
2007158563.tif 000003
【図２】
2007158563.tif 000004
【図３】
2007158563.tif 000005
【図４】
2007158563.tif 000006
【図５】
2007158563.tif 000007
【図６】
2007158563.tif 000008
【図７】
2007158563.tif 000009
【図８】
2007158563.tif 000010
【図９】
2007158563.tif 000011
【図１０】
2007158563.tif 000012
【図１１】
2007158563.tif 000013
【図１２】
2007158563.tif 000014
【図１３】
2007158563.tif 000015
【図１４】
2007158563.tif 000016
【図１５】
2007158563.tif 000017
【図１６】
2007158563.tif 000018
【図１７】
2007158563.tif 000019
【図１８】
2007158563.tif 000020
【図１９】
2007158563.tif 000021